(57)【特許請求の範囲】
【請求項１】
亜酸化窒素ガスと、水素、一酸化炭素、アンモニアおよびそれらの混合物から成る群から選択される還元剤とを脱酸反応器に供給すること；
前記亜酸化窒素ガスから除去される亜酸化窒素の量を制限しながら、前記亜酸化窒素ガス中のＯ２を減少させるために、脱酸触媒を用いて前記還元剤を前記Ｏ２と反応させることによって脱酸を行って、不活性物質を生成することを含む、Ｏ２を含有する亜酸化窒素ガスの精製方法。
【請求項２】
前記還元剤が水素である、請求項１に記載の方法。
【請求項３】
前記不活性物質が水または二酸化炭素を含む、請求項１に記載の方法。
【請求項４】
前記不活性物質が水である、請求項１に記載の方法。
【請求項５】
前記亜酸化窒素ガスが、ＮＯｘ、窒素、一酸化炭素、二酸化炭素または有機化合物をさらに含む、請求項１に記載の方法。
【請求項６】
前記ＮＯｘが、アンモニアまたはその前駆物質および選択触媒還元触媒を用いる選択触媒還元によって前記亜酸化窒素ガスから除去される、請求項５に記載の方法。
【請求項７】
前記一酸化炭素および有機化合物が、前記脱酸中に前記亜酸化窒素ガスから除去される、請求項５に記載の方法。
【請求項８】
前記亜酸化窒素ガスがアジピン酸気体廃棄物を含む、請求項１に記載の方法。
【請求項９】
前記気体廃棄物が、１０００ｐｐｍ容量％と１０容量％の間の酸素、および１００ｐｐｍ容量％と１容量％の間のＮＯｘを含む、請求項８に記載の方法。
【請求項１０】
９９容量％以下の酸素が前記亜酸化窒素ガスから除去される、請求項１に記載の方法。
【請求項１１】
前記脱酸触媒が、パラジウム、白金およびそれらの混合物から成る群から選択される、請求項１に記載の方法。
【請求項１２】
前記選択触媒還元触媒が、バナジウムの酸化物、チタンの酸化物、およびそれらの混合物から成る群から選択される、請求項６に記載の方法。
【請求項１３】
前記脱酸段階が一つ以上の反応器を用いて行われる、請求項１に記載の方法。
【請求項１４】
前記選択触媒還元が、前記脱酸反応器とは別の選択触媒還元反応器内で行われる、請求項６に記載の方法。
【請求項１５】
前記選択触媒還元反応器が側流式反応器である、請求項１４に記載の方法。
【請求項１６】
前記選択触媒還元中、前記亜酸化窒素ガス用のキャリヤガスとしてスチームを用いる、請求項６に記載の方法。
【請求項１７】
前記選択触媒還元の前に、酸素含有ガスを前記選択触媒還元触媒上に通す、請求項６に記載の方法。
【請求項１８】
Ｏ２およびＮＯｘ含有亜酸化窒素ガスおよびアンモニアまたはその前駆物質を反応器システムに供給すること；
選択触媒還元触媒を用いて、前記アンモニアまたはその前駆物質を前記亜酸化窒素ガス中のＮＯｘと反応させることによって、選択触媒還元を行うこと；
還元剤を前記反応器システムに供給すること；
脱酸触媒を用いて、前記還元剤を前記亜酸化窒素ガス中のＯ２と反応させることによって、脱酸を行うことを含む、亜酸化窒素ガスの精製方法。
【請求項１９】
前記亜酸化窒素ガスが、ＮＯｘ、窒素、一酸化炭素、二酸化炭素または有機化合物をさらに含む、請求項１８に記載の方法。
【請求項２０】
前記反応器システムが一つ以上の反応器を含む、請求項１８に記載の方法。
【請求項２１】
前記脱酸触媒が、パラジウム、白金およびそれらの混合物から成る群から選択される、請求項１８に記載の方法。
【請求項２２】
前記選択触媒還元触媒が、バナジウムの酸化物、チタンの酸化物、およびそれらの混合物から成る群から選択される、請求項１８に記載の方法。
【請求項２３】
前記選択触媒還元反応器が側流式反応器である、請求項１８に記載の方法。
【請求項２４】
前記選択触媒還元中、前記亜酸化窒素ガス用のキャリヤガスとしてスチームを用いる、請求項１８に記載の方法。
【請求項２５】
前記選択触媒還元の前に、酸素含有ガスを前記選択触媒還元触媒上に通す、請求項１８に記載の方法。
【請求項２６】
前記反応器システムを用いる前記亜酸化窒素ガスからの亜酸化窒素の回収率が９５％より大きい、請求項１８に記載の方法。
【請求項２７】
ＮＯｘ含有亜酸化窒素ガスおよびアンモニアまたはその前駆物質を反応器システムに供給すること；
前記亜酸化窒素ガスから除去される亜酸化窒素の量を制限しながら、選択触媒還元触媒を用いて前記アンモニアまたはその前駆物質を前記亜酸化窒素ガス中のＮＯｘと反応させることによって、選択触媒還元を行うことを含む、亜酸化窒素ガスの精製方法。
【請求項２８】
前記亜酸化窒素ガスが、窒素、一酸化炭素、二酸化炭素または有機化合物をさらに含む、請求項２７に記載の方法。
【請求項２９】
前記有機化合物が、前記選択触媒還元によって前記亜酸化窒素ガス流から選択的に除去される、請求項２８に記載の方法。
【発明の詳細な説明】
【０００１】
（技術分野）
本発明は、種々の不純物を除去することによって亜酸化窒素ガスを精製するための方法に関する。
【０００２】
（発明の背景）
多様な火力発電所から生じる気体廃棄物および排気ガスを精製するための多数の方法が当該技術分野において知られている。こうしたガスは、ＮＯｘ（ＮＯ、Ｎ２Ｏ３、ＮＯ２、Ｎ２Ｏ４、Ｎ２Ｏ５などを含む窒素酸化物）および硫黄酸化物などの望ましくない化合物を含有する。これらの方法は、液体吸収剤によるこうした不純物の吸収、または無害な化合物（例えば、ＮＯｘ還元の場合、水蒸気および窒素）へのそれらの転化（還元）のいずれかに基づく。ＮＯｘの還元に最も広く用いられている方法は、アンモニアおよび選択触媒還元（ＳＣＲ）を用いる。ＳＣＲ法は、気体廃棄物中に含有される酸素の存在のもとで、ＮＯｘの窒素元素および水蒸気への還元の実施を可能にする。米国特許第５，４０１，４７９号、４，８５９，４３９号、４，８５５，１１５号、４，７８９，５３３号、４，４３８，０８２号、４，７２０，４７６号、４，６９５，４３８号、４，７３２，７４３号、４，９７５，２５６号、４，５２１，３８８号、５，４０１，４７８号、および５，７５３，５８２号を参照のこと。これら特許の主題すべてを本明細書に参照として組み込む。通常の方法／装置によって気体廃棄物の少量の不純物を浄化した後、気体廃棄物は大気に排出される。
【０００３】
さらに、不活性ガスなどの多様な工業用等級のガスを精製するための方法も知られている。例えば、米国特許第４，５７９，７２３号では、多段階触媒法を用いてＣＯ、ＣＯ２、Ｈ２、Ｈ２ＯおよびＯ２をアルゴンガスから除去している。この特許の主題すべてを参照として組み込む。
【０００４】
後に半導体の製造に用いるための独立工業用プロセスから生じる非常に純粋な亜酸化窒素ガスからＯ２を除去するために、多様な方法が用いられてきた。特開平０６−０１６４０２では、酸化マンガン触媒を用いて酸素を商業生産亜酸化窒素から除去している。しかし、酸素は、そのガス中に存在する酸素を用いて、触媒をより低次からより高次の酸化マンガンに酸化することによって除去され、これには、酸素含有ガスを関係させて容易に除去される生成物を生成する反応に関わる触媒作用は含まれない。
【０００５】
これまでのところ、亜酸化窒素気体廃棄物からの不純物の除去は考えられていない。環境への亜酸化窒素気体廃棄物の放出は汚染のもとであるが、こうした気体廃棄物から経済的および実行可能に分離して、工業用等級の亜酸化窒素源を提供すれば、亜酸化窒素の廃棄物は、ヒドロキシル化によるベンゼンのフェノールへの転化に用いるためなど、多様な工程に用いることができるようになる。米国特許第４，９８２，０１３号、５，００１，２８０号、５，０５５，６２３号、５，１１０，９９５号、５，６７２，７７７号、５，７５６，８６１号および５，８０８，１６７号を参照のこと。これらの特許の主題すべてを参照として組み込む。従って、亜酸化窒素気体廃棄物を精製し、同時に、多様な工業用途に適する亜酸化窒素を商業的および経済的に生産する方法が、化学工業界において必要とされている。
【０００６】
（発明の開示）
本発明は、亜酸化窒素ガスおよび還元剤またはその前駆物質を脱酸反応器に供給すること、および亜酸化窒素ガスから除去される亜酸化窒素の量を制限しながら、亜酸化窒素ガス中の酸素を減少させるために、触媒を用いて還元剤またはその前駆物質を酸素と反応させることによって脱酸を行って、不活性物質にすることによる、亜酸化窒素の精製方法に関する。
【０００７】
従って、本発明は、亜酸化窒素ガスおよびアンモニアまたはその前駆物質を反応器システムに供給すること、選択触媒還元触媒を用いてアンモニアまたはその前駆物質を亜酸化窒素ガス中のＮＯｘと反応させることによって、選択触媒還元を行うこと、水素またはその前駆物質を反応器システムに供給すること、および脱酸触媒を用いて水素またはその前駆物質を亜酸化窒素ガス中の酸素と反応させることによって脱酸を行うことによる、亜酸化窒素ガスの精製方法に関する。
【０００８】
（図面の簡単な説明）
本発明は、以下の具体例としての実施形態の説明と共に、実施例ＩおよびＩＩに記載するような本発明による方法の実施形態の結果として得られたデータを表わす添付図面を参照することによって、より明確に理解することができよう。
【０００９】
（実例となる実施形態の説明）
本発明に従って、触媒法を用いて亜酸化窒素ガスを精製して、多様な商業用途に適する経済的な亜酸化窒素源を提供する。さらに、本発明の方法は、亜酸化窒素気体廃棄物中の選択された不純物を選択的に反応させることによって気体廃棄物中の亜酸化窒素の量を維持しながら、亜酸化窒素気体廃棄物を選択的に精製する。こうした精製亜酸化窒素気体廃棄物は、米国特許第４，９８２，０１３号、５，００１，２８０号、５，０５５，６２３号、５，１１０，９９５号、５，６７２，７７７号、５，７５６，８６１号および５，８０８，１６７号に記載されているような、ベンゼンのフェノールへの一段階ヒドロキシル化に利用することができる。これらの特許の主題すべてを本明細書中に参照として組み込む。
【００１０】
本発明の一つの実施形態において、亜酸化窒素気体廃棄物をアンモニアまたはその前駆物質の存在のもとでＳＣＲ反応器に通して、ＮＯｘを除去するが（例えば反応させることによって）、同時に気体廃棄物中の亜酸化窒素の量を減少させることはない。反応器は、少なくとも一つの触媒層を含み、固定層反応器などのあらゆる適する構造のもの（例えば、金属反応器、平行板反応器、セラミックハニカム反応器、タンブラー反応器、または側方流動反応器）であることができる。好ましくは、反応器は、側方流動反応器である。側方流動反応器では、ペレットタイプの触媒を固定層に用いることができ、その結果、ハニカム触媒を同様に使用した時より低い圧力低下で高い接触効率を提供することができる。アンモニア蒸気とプロセスガスの間の均質混合は、多孔板を使用することによって達成される。
【００１１】
触媒は、伝統的な金属、例えば、Ｔｉ、Ｖ、Ｗ、Ｍｏ、Ｍｎ、Ｃｕ、Ｆｅ、Ｃｒ、Ｃｏ、Ｎｉ、Ｚｎ、Ｓｎなどに基づくものなどのあらゆる既知のＮＯｘ低減ＳＣＲ触媒を包含する。金属は酸化物の形態であってもよいし、シリカおよび／またはアルミナなどの通常の担体に組込むかまたは担体上に配置してもよい。好ましくは、Ｔｉ−Ｖ触媒の酸化物を用いる。
【００１２】
触媒ペレットは、柱体、球体、円板、リングなどのあらゆる形に成形してもよいし、またはハニカムブロックの形態であってもよく、通常のＳＣＲ条件下で用いることができる。これらの条件は、触媒の空間速度、その操作温度、およびＮＯｘ処理量によって決まる。
【００１３】
例えば、アンモニアまたはその前駆物質は、ＮＯｘに関して０．１〜２．０、好ましくは０．５〜１．５、さらに好ましくは０．８〜１．２のモル比で、ＮＯｘを含有する亜酸化窒素気体廃棄物と混合される。混合は、１００℃〜６００℃、好ましくは１２０℃〜４００℃、さらに好ましくは１５０℃〜３００℃の温度であり得る。亜酸化窒素を維持すべきアジピン酸気体廃棄物使用については、１５０〜３５０℃の間の低温範囲が好ましい。３００〜１００，０００ｈ−１の範囲の空間速度（時間の逆数のディメンションで示される、１時間に１立方メートルの触媒（触媒層の見掛けの量）を通過する立方メートルでのガス量）を用いることができる。この方法は、あらゆる圧力下で行うことができる。しかし、適する圧力は、約１〜約１０気圧にわたる。
【００１４】
アンモニアまたはその前駆物質をＮＯｘと反応させて、Ｎ２およびＨ２Ｏを生成する。反応器に存在する亜酸化窒素は、２００ｐｐｍ未満、好ましくは４０ｐｐｍ未満、さらに好ましくは１０ｐｐｍ未満のＮＯｘを含む。
【００１５】
反応器に入れる前に、アンモニアとキャリヤガスを混合する。キャリヤガスは、触媒を有意に失活させないあらゆる不活性ガスを含むことができる。例えば、キャリヤガスは、スチーム、水素、アルゴンなど、またはそれらの混合物を含むことができる。好ましくは、キャリヤガスは、スチームを含む。
【００１６】
本発明のもう一つの実施形態では、還元剤またはその前駆物質および触媒の存在のもとで、亜酸化窒素気体廃棄物を少なくとも一つの反応器に通して、気体廃棄物中に存在する亜酸化窒素の量を減少させることなく、酸素と、有機物質（例えば、ＣＯなど）などのその他の不純物とを除去する。反応器は、少なくとも一つの触媒層を含み、固定層、タンブラー反応器、または側方流動反応器などのあらゆる適する構造のものであることができる。好ましくは、反応器は、固定層反応器である。
【００１７】
触媒は、貴金属または貴金属（例えば、白金またはパラジウムなど）の組合わせに基づくものなどのあらゆる既知の酸化触媒を含むことができる。触媒は、シリカおよび／またはアルミナなどの通常の担体に組込んでもよいし、または担体上に配置してもよい。好ましくは、触媒は、アルミナ支持体を伴うパラジウム金属である。
【００１８】
触媒は、柱体、球体、円板、リングなどのあらゆる形に成形することもできるし、ハニカムブロック形状であってもよい。好ましくは、触媒は、ハニカムブロック形状である。
【００１９】
本発明のこの実施形態において、化学量論量の還元剤またはその前駆物質を、酸素を含有する亜酸化窒素気体廃棄物と混合する。この混合は、０℃〜６００℃、好ましくは５℃〜３００℃、さらに好ましくは１０℃〜２００℃の温度であり得る。３００〜１００，０００ｈ−１の範囲の空間速度（時間の逆数のディメンションで示される、１時間に１立方メートルの触媒（触媒層の見掛けの量）を通過する立方メートルでのガス量）を用いることができる。この方法は、あらゆる圧力下で行うことができる。しかし、適する圧力は、約１〜約１０気圧にわたる。
【００２０】
反応器に入れる前に、または反応器の中で、還元剤またはその前駆物質を亜酸化窒素気体廃棄物と混合することができる。これは、直列型ミキサーなどの通常の手段を用いて達成することができる。適する還元剤には、気体廃棄物中の亜酸化窒素を減少させることなく、亜酸化窒素気体廃棄物中の酸素と選択的に反応する薬剤が挙げられる。例えば、還元剤は、気体廃棄物中に存在する酸素と（本明細書中に記載する適切な触媒を用いて）選択的に反応して、水を生じる水素であることができる。本発明の実施形態において、水素は、意外にも、気体廃棄物中の亜酸化窒素を大きく減少させないことがわかった（水素は、亜酸化窒素とも反応して、窒素と水を生成することが期待された）。別の適する還元剤は、例えば、一酸化炭素であり、これは、気体廃棄物中に存在する亜酸化窒素を低減することなく、酸素と選択的に反応して、二酸化炭素を生成する。還元剤は、水素および一酸化炭素などのガスの混合物を含むことができる。好ましくは、還元ガスは、水素含有ガスである。水素は、あらゆる形態で提供することができ、これには、発電所気体廃棄物、脱水素工程（例えば、エチルベンゼンからスチレン）からの気体廃棄物などの水素などのあらゆる水素含有ガスが挙げられる。好ましくは、水素は、純粋な水素の形態で供給する。
【００２１】
本発明のもう一つの実施形態では、亜酸化窒素気体廃棄物をＳＣＲ反応器に通し、本発明のＮＯｘ低減工程を利用してＮＯｘを除去し、その後、亜酸化窒素気体廃棄物を脱酸反応器に通し、本発明の脱酸工程を利用して酸素およびその他の不純物を除去する。あるいは、脱酸工程は、ＮＯｘ低減工程より前であってもよい。さらに、こうした工程を複数回、いずれの順序で行ってもよい。ＮＯｘ低減工程および脱酸工程は、複数の触媒層を有する単一反応器内で行ってもよいし、複数のチャンバを有する単一反応器内で行ってもよい。加えて、ＮＯｘ低減工程および脱酸工程それぞれを複数の反応器を用いて行ってもよい。このましくは、ＮＯｘ低減工程は、脱酸工程より前である。
【００２２】
本精製システムを用いる亜酸化窒素気体廃棄物からの亜酸化窒素の回収率は、５０％より大きく、好ましくは７０％より大きく、さらに好ましくは９５％より大きい回収率を含む。
【００２３】
実施例
以下の実例としての実施例を参照することによって、本発明の方法をさらに規定する。
【００２４】
実施例Ｉ
本発明の亜酸化窒素ガスを精製するための方法を以下のように行う：
Ｊｏｈｎｓｏｎ−Ｍａｔｔｈｅｙからのビーズ形態のアルミナ上０．２重量％Ｐｄ触媒を、１５０℃、石英反応器内で、２．４ｃｃ／分の酸素、３６ｃｃ／分の亜酸化窒素および６ｃｃ／分のヘリウムから成る６０ｃｃ／分のガス流にさらす。接触時間は、４．６秒である。ヘリウムガスの一部を純粋な水素で徐々に置換する。質量分析法（酸素についての原子質量単位３２、亜酸化窒素についての原子質量単位２８、３０および４４、水素についての原子質量単位２、水についの原子質量単位１８）による反応器流出物の分析によって、反応器を追跡調査する。試験したすべてのケースにおいて、水素の完全な反応が観察される。図１および２は、酸素が水素と選択的に反応すること、および亜酸化窒素とは選択的に反応しないことをそれぞれ説明している。図１は、水素流の関数としての酸素分解を示す。図２は、水素流の関数としての亜酸化窒素分解％を示す。図３は、水素流の関数としての酸素分解選択性を表わす。
【００２５】
実施例ＩＩ
同じ実験を２５℃、接触時間０．７秒、同じガス流組成および速度で行う。図４および５は、このセットの条件において達成される性能を示す。図４は、水素流の関数としての酸素分解を示す。図５は、水素流の関数としての亜酸化窒素分解％を説明する。図６は、水素流の関数としての酸素分解選択性を示す。
【００２６】
実施例ＩＩＩ
同じ実験を２５℃、接触時間０．７秒、同じガス流組成および速度で行うが、水素を、一部、ＣＯ（すなわち、５０容量％以下のＣＯ）で置換する。酸素分解および選択性の結果は、純粋な水素によって得られるものと同じである。
【００２７】
実施例ＩＶ
本発明の亜酸化窒素ガスを精製するための方法を以下のように行う：
ＣＲＩ  Ｃａｔａｌｙｓｔ  Ｃｏｍｐａｎｙ，Ｉｎｃ．によって供給されるグレードＳ−０９６の市販ＳＣＲ触媒を、砂浴によって加熱した等温パイプ反応器内、入口温度２４７℃で、ＮＯｘ３％、Ｏ２８．０％、Ｎ２Ｏ２６．５％、ＣＯ１％、有機不純物２％（炭素基準で）、残り不活性物質を含有する１５ｓｌｐｍのアジピン酸気体廃棄物流にさらす。空間速度は、１５，０００ｈ−１である。オンラインＮＯｘ分析器で測定されるＮＯｘレベルに対して化学量論的にアンモニアを供給する。出口組成は、以下のとおりである：ＮＯｘ０．０４４％、Ｏ２７．３％、Ｎ２Ｏ２６．５％、ＣＯ０．２％、有機不純物０．００８％（炭素基準で）、残り不活性物質。
【図面の簡単な説明】
【図１】  水素流の関数としての酸素分解を示す。
【図２】  水素流の関数としての亜酸化窒素分解％を示す
【図３】  水素流の関数としての酸素分解選択性を表わす。
【図４】  水素流の関数としての酸素分解を示す。
【図５】  水素流の関数としての亜酸化窒素分解％を説明する。
【図６】  水素流の関数としての酸素分解選択性を示す。
【図１】
0005013633.tif 000002
【図２】
0005013633.tif 000003
【図３】
0005013633.tif 000004
【図４】
0005013633.tif 000005
【図５】
0005013633.tif 000006
【図６】
0005013633.tif 000007